(57)【特許請求の範囲】
【請求項１】
照明器具用の吊具本体と、前記吊具本体から垂下した照明器具用の吊パイプとを分離して梱包する照明器具用吊具梱包であって、前記吊具本体を収納するとともに、一側面の中心から偏心した位置に、前記吊パイプの端部が挿入されるパイプ挿入孔を形成した収納箱を少なくとも一対有し、各収納箱の前記パイプ挿入孔に挿入される各吊パイプが略平行に並ぶように各収納箱の前記一側面を対向配置して組み合わせたことを特徴とする照明器具用吊具梱包。
【請求項２】
前記パイプ挿入孔は、１本の吊パイプが挿入されるように形成した請求項１記載の照明器具用吊具梱包。
【請求項３】
前記パイプ挿入孔は、複数本の吊パイプが挿入されるように形成した請求項１記載の照明器具用吊具梱包。
【請求項４】
前記吊パイプの軸心方向に巻き付けたカバーにて覆った請求項１記載の照明器具用吊具梱包。
【請求項５】
前記吊パイプの軸心に直交する方向に巻き付けたカバーに覆った請求項１記載の照明器具用吊具梱包。
【発明の詳細な説明】
【０００１】
【発明の属する技術分野】
この発明は、照明器具を天井等に吊り下げる吊具の梱包に関するものである。
【０００２】
【従来の技術】
従来より、図１２に示すように、天井５７に誘導灯などの照明器具５６を吊り下げる場合、天井５７に照明器具用の吊具本体５０を設置し、吊具本体５０から垂下した照明器具用の吊パイプ５１にて照明器具５６を吊持している。吊具本体５０は、図１３に示すように、吊パイプ５１を取付ける部品５３，吊パイプ５１を引っ掛ける部品５４，吊パイプ５１を引っ掛ける部品５４を覆う部品５５等からなる。
【０００３】
吊具本体５０ならびに吊パイプ５１からなる照明器具用吊具は、吊持する照明器具５６や設置場所等に応じて、吊パイプ５１の長さや本数等が異なる各種の吊具が用意されており、照明器具５６とは別売されるのが一般的である。そのため、照明器具用吊具をユーザの元に搬送する際の梱包に関しても、照明器具用吊具に合わせて各種用意されている。
【０００４】
例えば、図１４に示すように、吊具本体５０と吊パイプ５１を１つの箱５２に梱包するものがある。
また、他の梱包例として、図１５に示すように、吊具本体５０を収納する箱６０と、吊パイプ５１を収納する袋６１とを別々にしたものもある。
【０００５】
【発明が解決しようとする課題】
図１４の従来例では、収納する吊パイプ５１の長さの違いに応じて各種大きさの箱５２を取り揃えておかなければならず、コスト高で在庫管理も困難であった。また、長尺の吊パイプ５１を収納する場合、吊具本体５０の大きさは同じであっても吊パイプ５１の長さに合わせて箱５２を大きくしなければならず、無駄なスペースが多くなり、材料費，保管スペース，運搬等の面でコスト高になるという問題があった。
【０００６】
図１５の従来例では、吊具本体５０と吊パイプ５１が別々であるため、ユーザの元に同時に届かなかったり、あるいは片方のみしか届かなかったりするという問題があった。また、吊パイプ５１を袋６１に収納しているため、単に積層して保管しておくことができず保管が困難で、しかも搬送時等に吊パイプ５１が傷つく等の恐れがあり取り扱いも困難であった。
【０００７】
この発明は、安価で在庫管理もし易く、吊具本体と吊パイプが確実にユーザの元に届き、かつ保管ならびに取り扱いも容易な照明器具用吊具梱包を提供することを目的とする。
【０００８】
【課題を解決するための手段】
請求項１記載の照明器具用吊具梱包は、照明器具用の吊具本体と、前記吊具本体から垂下した照明器具用の吊パイプとを分離して梱包する照明器具用吊具梱包であって、前記吊具本体を収納するとともに、一側面の中心から偏心した位置に、前記吊パイプの端部が挿入されるパイプ挿入孔を形成した収納箱を少なくとも一対有し、各収納箱の前記パイプ挿入孔に挿入される各吊パイプが略平行に並ぶように各収納箱の前記一側面を対向配置して組み合わせたことを特徴とするものである。
請求項２記載の照明器具用吊具梱包は、請求項１において、前記パイプ挿入孔は、１本の吊パイプが挿入されるように形成したものである。
【０００９】
請求項３記載の照明器具用吊具梱包は、請求項１において、前記パイプ挿入孔は、複数本の吊パイプが挿入されるように形成したものである。
【００１０】
請求項４記載の照明器具用吊具梱包は、請求項１において、前記吊パイプの軸心方向に巻き付けたカバーにて覆ったものである。
請求項５記載の照明器具用吊具梱包は、請求項１において、前記吊パイプの軸心に直交する方向に巻き付けたカバーに覆ったものである。
【００１１】
この発明の照明器具用吊具梱包によると、吊具本体を収納した収納箱の一側面に吊パイプの端部を挿入したので、吊パイプの長さが異なっても収納箱は共用でき、しかも収納箱には吊具本体のみを収納するので小型化が図れ、かつ吊具本体と吊パイプを一体でユーザの元に届けることができる。また、一対の収納箱のパイプ挿入孔に挿入された各吊パイプが略平行に並ぶように各収納箱を逆向きに配置して組み合わせたので、積層して容易に保管できる。さらに、一対の収納箱を組み合わせたものをカバーで覆ったので、保管がより一層し易くなり、かつ吊パイプがカバーで保護される。
【００１２】
【発明の実施の形態】
第１の実施の形態
この発明の第１の実施の形態を図１ないし図６に基づいて説明する。
図１は、照明器具用の吊具本体（図示せず）を収納した収納箱１０の一側面１１に、当該一側面１１の中心から偏心した位置にパイプ挿入孔１３を形成し１本の吊パイプ１２の端部を挿入して梱包体Ａとしたものである。収納箱１０は段ボール紙等にて形成する。
【００１３】
図２は、一対の梱包体Ａ，Ａ′を用意し、各梱包体Ａ，Ａ′の吊パイプ１２，１２′の先端を他方の梱包体Ａ，Ａ′の収納箱１０，１０′の一側面１１，１１′に当接させて、各吊パイプ１２，１２′が略平行に並ぶように各梱包体Ａ，Ａ′を逆向きに配置して組み合わせたものである。
図３は、図２のように組み合わせたものを、吊パイプ１２，１２′の軸心方向に巻き付けて覆うカバー１５である。カバー１５は段ボール紙等にて形成する。
【００１４】
図４は、図２のように組み合わせたものをカバー１５にて覆い、両側にバンド１６，１６を掛けて固定した状態を示している。
このように構成された照明器具用吊具梱包によると、吊具本体を収納した収納箱１０の一側面１１に吊パイプ１２の端部を挿入したので、吊パイプ１２の長さが異なっても収納箱１０は共用でき、コストの低減ならびに在庫管理がし易くなる。また、収納箱１０には吊具本体のみを収納するので小型化が図れ、材料費を削減できる。さらに、吊具本体と吊パイプ１２を一体でユーザの元に届けることができ、吊具本体と吊パイプ１２の両方を同時に確実にユーザの元に届けることができる。
【００１５】
また、一対の梱包体Ａ，Ａ′の各吊パイプ１２，１２′が略平行に並ぶように各梱包体Ａ，Ａ′を逆向きに配置して組み合わせたので、これら組み合わせたものを積層して容易に保管できる。
さらに、一対の梱包体Ａ，Ａ′を組み合わせたものをカバー１５で覆ったので、保管がより一層し易くなり、かつ吊パイプ１２，１２′がカバー１５で保護されるので、搬送等の取り扱いもし易くなる。
【００１６】
なお、梱包体を組み合わせたものを覆うカバーとしては、図５に示すような吊パイプ１２，１２′の軸心方向に巻き付けて覆うカバー２０や、図６に示すような吊パイプ１２，１２′の軸心に直交する方向に巻き付けて覆うカバー２１等を使用してもよい。
第２の実施の形態
この発明の第２の実施の形態を図７ないし図９に基づいて説明する。
【００１７】
図７は、図２に示した梱包体を組み合わせたものを２個用意して積層したものである。
図８は、このように積層したものを、吊パイプ１２，１２′の軸心方向に巻き付けて覆うカバー３０である。
図９は、図７のように積層したものをカバー３０にて覆い、両側にバンド３１，３１を掛けて固定した状態を示している。
【００１８】
このように構成された照明器具用吊具梱包においても、第１の実施の形態と同様の効果が得られる。さらに、複数対の梱包体を同時に搬送でき、搬送効率が良い。
なお、梱包体を組み合わせたものを３段以上積層し、カバーで覆ってもよい。
第３の実施の形態
この発明の第３の実施の形態を図１０および図１１に基づいて説明する。
【００１９】
図１０は、吊具本体を収納した収納箱４０の一側面４１に、一側面４１の中心から偏心した位置に一対のパイプ挿入孔４４，４５を形成し２本の吊パイプ４２，４３の端部をそれぞれ挿入して梱包体Ｂとしたものである。
図１１は、一対の梱包体Ｂ，Ｂ′を用意し、各梱包体Ｂ，Ｂ′の吊パイプ４２，４３，４２′，４３′の先端を他方の梱包体Ｂ，Ｂ′の収納箱４０，４０′の一側面４１，４１′に当接させて、各吊パイプ４２，４３，４２′，４３′が略平行に並ぶように各梱包体Ｂ，Ｂ′を逆向きに配置して組み合わせたものである。
【００２０】
さらに、図１１に示すように組み合わせたものをカバー（図示せず）で覆う。なお、梱包体を組み合わせたものを２段以上積層してカバーで覆うようにしてもよい。
このように構成された照明器具用吊具梱包においても、第１の実施の形態と同様の効果が得られる。
【００２１】
なお、３本以上の吊パイプを収納箱の一側面に中心から偏心させて挿入してもよい。
また、前記各実施の形態では、一対の梱包体Ａ，Ａ′（Ｂ，Ｂ′）を組み合わせる場合、各吊パイプ１２，１２′（４２，４３，４２′，４３′）の先端を他方の梱包体Ａ，Ａ′（Ｂ，Ｂ′）の収納箱１０，１０′（４０，４０′）の一側面１１，１１′（４１，４１′）に当接させて各吊パイプ１２，１２′（４２，４３，４２′，４３′）が略平行に並ぶように各梱包体Ａ，Ａ′（Ｂ，Ｂ′）を逆向きに配置していたが、特に当接させなくてもよく、あるいは吊パイプ１２，１２′（４２，４３，４２′，４３′）の先端を他方の梱包体Ａ，Ａ′（Ｂ，Ｂ′）の収納箱１０，１０′（４０，４０′）の一側面１１，１１′（４１，４１′）に予め形成しておいたパイプ挿入孔に挿入して各吊パイプ１２，１２′（４２，４３，４２′，４３′）が略平行に並ぶように各梱包体Ａ，Ａ′（Ｂ，Ｂ′）を逆向きに配置してもよい。
【００２２】
【発明の効果】
この発明の照明器具用吊具梱包によると、吊具本体を収納した収納箱の一側面に吊パイプの端部を挿入したので、吊パイプの長さが異なっても収納箱は共用でき、コストの低減ならびに在庫管理がし易くなる。また、収納箱には吊具本体のみを収納するので小型化が図れ、材料費を削減できる。さらに、吊具本体と吊パイプを一体でユーザの元に届けることができ、照明器具用吊具と直管蛍光ランプの両方を同時に確実にユーザの元に届けることができる。
【００２３】
また、一対の収納箱のパイプ挿入孔に挿入された各吊パイプが略平行に並ぶように各収納箱を逆向きに配置して組み合わせたので、積層して容易に保管できる。さらに、一対の収納箱を組み合わせたものをカバーで覆ったので、保管がより一層し易くなり、かつ吊パイプがカバーで保護されるので、搬送等の取り扱いもし易くなる。
【図面の簡単な説明】
【図１】この発明の第１の実施の形態における梱包体の斜視図である。
【図２】この発明の第１の実施の形態における一対の梱包体を組み合わせた状態の斜視図である。
【図３】この発明の第１の実施の形態におけるカバーの斜視図である。
【図４】この発明の第１の実施の形態における組み合わせた梱包体をカバーにて覆った状態の斜視図である。
【図５】この発明の第１の実施の形態におけるカバーの変形例の斜視図である。
【図６】この発明の第１の実施の形態におけるカバーのその他の変形例の斜視図である。
【図７】この発明の第２の実施の形態における組み合わせた梱包体を積層した状態の斜視図である。
【図８】この発明の第２の実施の形態におけるカバーの斜視図である。
【図９】この発明の第２の実施の形態における積層した梱包体をカバーにて覆った状態の斜視図である。
【図１０】この発明の第３の実施の形態における梱包体の斜視図である。
【図１１】この発明の第３の実施の形態における梱包体を組み合わせた状態の斜視図である。
【図１２】照明器具用吊具で吊持した照明器具の斜視図である。
【図１３】照明器具用吊具の分解斜視図である。
【図１４】従来例の斜視図である。
【図１５】その他の従来例の斜視図である。
【符号の説明】
Ａ，Ｂ  梱包体
１０，４０  収納箱
１１，４１  一側面
１２，４２，４３  吊パイプ
１５，２０，２１，３０  カバー
【図１】
0003724169.tif 000002
【図２】
0003724169.tif 000003
【図３】
0003724169.tif 000004
【図４】
0003724169.tif 000005
【図５】
0003724169.tif 000006
【図６】
0003724169.tif 000007
【図７】
0003724169.tif 000008
【図８】
0003724169.tif 000009
【図９】
0003724169.tif 000010
【図１０】
0003724169.tif 000011
【図１１】
0003724169.tif 000012
【図１２】
0003724169.tif 000013
【図１３】
0003724169.tif 000014
【図１４】
0003724169.tif 000015
【図１５】
0003724169.tif 000016